(57)【要約】【課題】  複数台の撮像装置を接続したシステムにおいて、装置間での画像番号を統一的に管理し、撮影した画像データの整理が容易に行えるようにする。【解決手段】  通信手段を備えた撮像装置を複数台接続した撮像装置システムにおいて、各撮像装置は各々画像番号発生手段を備えており、マスタとなる撮像装置がスレーブとなる撮像装置に対して画像番号発生手段を通知し、撮影を行う事で、マスタの撮像装置の画像番号発生手段は、スレーブの撮像装置の画像番号発生手段に対して、マスタの撮像装置が期待する画像番号を発生させる事が可能となり、マスタの撮像装置とスレーブの撮像装置間で画像番号が統一的に管理される。【選択図】        図１
2005184205.tif 000002
【特許請求の範囲】
【請求項１】
撮像装置システムは、複数台の撮像措置を接続したシステムであって、
個々の撮像装置は、撮影用の光学レンズを通して入力された光を光電変換する撮像素子と、撮像素子から得られる電気的信号をデジタル化するＡ／Ｄ変換器と、デジタル信号を処理して所望のデジタル画像データを生成するデジタル信号処理回路と、生成されたデジタル画像データに対して一意に画像番号を与える画像番号発生手段と、信号処理されたデジタル画像データを画像番号と共に記憶する記憶手段と、撮影操作や各種設定操作を行う操作手段と、デジタル画像データ又は撮像装置の制御手段を送信、受信する事が出来る通信手段を備えており、
また、撮影動作や装置制御に対する主導権を持ったマスタ動作及びマスタ動作を持つ撮像装置からの指示に従属して動作するスレーブ動作の各モードを備えており、
前記撮像装置を少なくとも２台以上通信手段を介して接続した撮像装置システムは、１台の撮像装置１はマスタ動作を行い、別の撮像装置２ないし撮像装置３．．．はスレーブ動作を行い、
マスタ動作を行う撮像装置１において、接続された撮像装置間で同期又は非同期に撮影を行う時に、撮像装置１から撮像装置２ないし撮像装置３．．．に対して、画像番号発生手段を前記通信手段を介して通知（送信）し、撮像装置１において同期又は非同期に撮影を行うと、撮像装置は自己の備える画像番号発生手段により画像番号を発生し、撮像装置２ないし撮像装置３．．．は、前記通信手段を介して通知された画像番号発生手段により画像番号を発生し、各々の撮像装置において撮影されたデジタル画像データと発生した画像番号を共に記憶手段に記憶する事で、
マスタ動作を行う撮像装置１が期待する画像番号を持つデジタル画像データを、スレーブ動作を行う撮像装置２ないし撮像装置３．．．において発生させる事が出来る事で画像データの管理思想を統一する事を特徴とする複数台撮像装置システムにおける画像番号管理。
【請求項２】
請求項１記載の撮像装置システムにおける撮像装置の画像番号発生手段は、画像の名称と画像の番号を組み合わせたものを画像番号として発生する事で、画像番号の種別を増やす事を特徴とする複数台撮像装置システムにおける画像番号管理。
【請求項３】
請求項１または２記載の撮像装置システムにおいて、
マスタ動作を行う装置が、デジタル画像データ又は撮像装置の制御手段を送信、受信する事が出来る通信手段を備えた情報通信機器であり、
画像番号を与える画像番号発生手段をもつソフトウェアを内蔵している事で、情報通信機器より、接続されている撮像装置に対して同期又は非同期に撮影を行う際に、スレーブ動作を行う撮像装置２ないし撮像装置３．．．に対して、画像番号発生手段を前記通信手段を介して通知（送信）する事を特徴とする複数台撮像装置システムにおける画像番号管理。
【請求項４】
請求項１ないし３のいずれかにおける撮像装置の画像番号発生手段はソフトウェアにより実現され、マスタ動作を行う撮像装置１からスレーブ動作を行う撮像装置２ないし撮像装置３．．．に対して、
前記通信手段を介して通知（送信）する画像番号発生手段がソフトウェア自体により実現される事により、マスタ動作を行う撮像装置１の期待する画像番号を持つデジタル画像データをスレーブ動作を行う撮像装置２ないし撮像装置３．．．において発生させる事が出来る事を特徴とする複数台撮像装置システムにおける画像番号管理。
【請求項５】
請求項１ないし３のいずれかにおける撮像装置の画像番号発生手段はソフトウェアにより実現され、マスタ動作を行う撮像装置１からスレーブ動作を行う撮像装置２ないし撮像装置３．．．に対して、
前記通信手段を介して通知（送信）する画像番号発生手段が前記ソフトウェアに与えるパラメータにより実現される事により、マスタ動作を行う撮像装置１の期待する画像番号を持つデジタル画像データをスレーブ動作を行う撮像装置２ないし撮像装置３．．．において発生させる事が出来る事を特徴とする複数台撮像装置システムにおける画像番号管理。
【請求項６】
請求項１ないし３のいずれか記載の撮像装置システムにおいて、接続された撮像装置間で同期又は非同期に撮影を行う時に、固定的にマスタ動作を行う撮像装置と、スレーブ動作を行う撮像装置を決定する事により、
簡潔なソフトウェアで撮像装置システムを構築出来る事を特徴とする複数台撮像装置システムにおける画像番号管理。
【請求項７】
請求項１ないし３のいずれか記載の撮像装置システムにおいて、接続された撮像装置間で同期又は非同期に撮影を行う時に、動的にマスタ動作を行う撮像装置と、スレーブ動作を行う撮像装置を決定する事により、
マスタ動作を行う撮像装置とスレーブ動作を行う撮像装置を予め設定する手間が無く、柔軟な撮像装置システムを構築出来る事を特徴とする複数台撮像装置システムにおける画像番号管理。
【請求項８】
請求項１ないし３のいずれか記載の撮像装置システムにおいて、接続された撮像装置間で同期撮影を行う時、複数台の撮像装置で同時に撮影動作を行う時は、
マスタ動作を行う撮像装置１からスレーブ動作を行う撮像装置２ないし撮像装置３．．．に対して、前記通信手段を介して通知（送信）される画像番号発生手段により発生される画像番号が同一画像番号を発生する事で、撮影の同時性が分かり易い画像番号となる事を特徴とする複数台撮像装置システムにおける画像番号管理。
【請求項９】
請求項１ないし３のいずれか記載の撮像装置システムにおいて、接続された撮像装置間で同期撮影を行う時、複数台の撮像装置で順番に連続して撮影動作を行う時は、
マスタ動作を行う撮像装置１からスレーブ動作を行う撮像装置２ないし撮像装置３．．．に対して、前記通信手段を介して通知（送信）される画像番号発生手段により発生される画像番号が昇順もしくは降順の番号を発生する事で、撮影の順序性が分かり易い画像番号となる事を特徴とする複数台撮像装置システムにおける画像番号管理。
【請求項１０】
請求項１ないし３のいずれか記載の撮像装置システムにおいて、接続された撮像装置間で同期撮影を行う時、複数台の撮像装置で同時に撮影動作を行う撮像装置と順番に連続して撮影動作を行う撮像装置が混在する時は、
マスタ動作を行う撮像装置１からスレーブ動作を行う撮像装置２ないし撮像装置３．．．に対して、
同時に撮影動作を行う撮像装置に対して、前記通信手段を介して通知（送信）される画像番号発生手段により発生される画像番号が同一番号を発生し、
順番に連続して撮影動作を行う撮像装置に対して、前記通信手段を介して通知（送信）される画像番号発生手段により発生される画像番号が昇順もしくは降順の番号を発生する事で、
同時に撮影した撮像装置は撮影の同時性を、順番に連続して撮影した撮像装置は撮影の順序性が分かり易い画像番号となる事を特徴とする複数台撮像装置システムにおける画像番号管理。
【発明の詳細な説明】
【技術分野】
【０００１】
本発明は、複数台撮像装置システムにおける画像番号発生方法及び画像番号に関するものである。
【背景技術】
【０００２】
近年、通信機能を備えた撮像装置が数多く発表されている。
【０００３】
撮像装置のもつ通信機能の利用として、撮像措置を複数接続したシステムが提案されている。例えば、マスタとなる撮像装置が撮影を行う事で、スレーブの撮像装置の記録媒体へ撮影した画像データを転送する事が提案されている（例えば、特許文献１参照。）。
【０００４】
しかしながら、撮影した画像データの管理方法は、転送先のスレーブの撮像装置に委ねられており、マスタ側での画像データの管理情報とスレーブ側での画像データの管理情報は何の関係も持っていない。
【０００５】
また、外部装置から各画像データに対して画像に関する情報として、直接ファイル名を送る提案がなされているが、個々の画像データに対してファイル名をその都度通知する必要があった（例えば、特許文献２参照。）。
【０００６】
従って、撮影を行った後に、マスタの持つ画像データとスレーブの持つ撮影データをパーソナルコンピュータやカメラとカメラ間のデータ交換（データコピーを含む）を行う際、画像データの整理が困難になっていた。
【特許文献１】特開平０９−２８４６９６号公報
【特許文献２】特開平０６−１３３１１０号公報
【発明の開示】
【発明が解決しようとする課題】
【０００７】
このように、複数台の撮像装置を接続したシステムにおいて、画像データの整理を容易にするために、システム内の撮像装置全てが統一した管理思想で画像データを管理する必要があった。
【０００８】
本発明は、このような課題を解決するために、システム内の撮像装置が統一した思想で画像データを管理する手法を提供するものである。
【課題を解決するための手段】
【０００９】
システム内の撮像装置が統一した思想で画像データを管理する手法として、
撮像装置システムは、複数台の撮像措置を接続したシステムであって、
個々の撮像装置は、撮影用の光学レンズを通して入力された光を光電変換する撮像素子と、撮像素子から得られる電気的信号をデジタル化するＡ／Ｄ変換器と、デジタル信号を処理して所望のデジタル画像データを生成するデジタル信号処理回路と、生成されたデジタル画像データに対して一意に画像番号を与える画像番号発生手段と、信号処理されたデジタル画像データを画像番号と共に記憶する記憶手段と、記憶手段に記憶されたデジタル画像データを表示する表示手段と、撮影操作やデジタル画像データの表示操作を行う操作手段と、デジタル画像データ又は撮像装置の制御手段を送信、受信する事が出来る通信手段を備えており、
また、撮影動作や装置制御に対する主導権を持ったマスタ動作及びマスタ動作を持つ撮像装置からの指示に従属して動作するスレーブ動作の各モードを備えており、
前記撮像装置を少なくとも２台以上通信手段を介して接続した撮像装置システムは、１台の撮像装置１はマスタ動作を行い、別の撮像装置２ないし撮像装置３．．．はスレーブ動作を行い、
マスタ動作を行う撮像装置１において、接続された撮像装置間で同期又は非同期に撮影を行う時に、撮像装置１から撮像装置２ないし撮像装置３．．．に対して、画像番号発生手段を前記通信手段を介して通知（送信）し、撮像装置１において同期又は非同期に撮影を行うと、撮像装置は自己の備える画像番号発生手段により画像番号を発生し、撮像装置２ないし撮像装置３．．．は、前記通信手段を介して通知された画像番号発生手段により画像番号を発生し、各々の撮像装置において撮影されたデジタル画像データと発生した画像番号を共に記憶手段に記憶する事で、
マスタ動作を行う撮像装置１が期待する画像番号を持つデジタル画像データを、スレーブ動作を行う撮像装置２ないし撮像装置３．．．において発生させる事が出来、マスタの画像データ管理思想でシステム内を統一する。
【００１０】
以上、本発明を整理して要約すれば以下の構成に集約できる。
【００１１】
（１）撮像装置システムは、複数台の撮像措置を接続したシステムであって、
個々の撮像装置は、撮影用の光学レンズを通して入力された光を光電変換する撮像素子と、撮像素子から得られる電気的信号をデジタル化するＡ／Ｄ変換器と、デジタル信号を処理して所望のデジタル画像データを生成するデジタル信号処理回路と、生成されたデジタル画像データに対して一意に画像番号を与える画像番号発生手段と、信号処理されたデジタル画像データを画像番号と共に記憶する記憶手段と、撮影操作や各種設定操作を行う操作手段と、デジタル画像データ又は撮像装置の制御手段を送信、受信する事が出来る通信手段を備えており、
また、撮影動作や装置制御に対する主導権を持ったマスタ動作及びマスタ動作を持つ撮像装置からの指示に従属して動作するスレーブ動作の各モードを備えており、
前記撮像装置を少なくとも２台以上通信手段を介して接続した撮像装置システムは、１台の撮像装置１はマスタ動作を行い、別の撮像装置２ないし撮像装置３．．．はスレーブ動作を行い、
マスタ動作を行う撮像装置１において、接続された撮像装置間で同期又は非同期に撮影を行う時に、撮像装置１から撮像装置２ないし撮像装置３．．．に対して、画像番号発生手段を前記通信手段を介して通知（送信）し、撮像装置１において同期又は非同期に撮影を行うと、撮像装置は自己の備える画像番号発生手段により画像番号を発生し、撮像装置２ないし撮像装置３．．．は、前記通信手段を介して通知された画像番号発生手段により画像番号を発生し、各々の撮像装置において撮影されたデジタル画像データと発生した画像番号を共に記憶手段に記憶する事で、
マスタ動作を行う撮像装置１が期待する画像番号を持つデジタル画像データを、スレーブ動作を行う撮像装置２ないし撮像装置３．．．において発生させる事が出来る事で画像データの管理思想を統一する事を特徴とする複数台撮像装置システムにおける画像番号管理。
【００１２】
（２）前記（１）記載の撮像装置システムにおける撮像装置の画像番号発生手段は、画像の名称と画像の番号を組み合わせたものを画像番号として発生する事で、画像番号の種別を増やす事を特徴とする複数台撮像装置システムにおける画像番号管理。
【００１３】
（３）前記（１）または（２）記載の撮像装置システムにおいて、
マスタ動作を行う装置が、デジタル画像データ又は撮像装置の制御手段を送信、受信する事が出来る通信手段を備えた情報通信機器であり、
画像番号を与える画像番号発生手段をもつソフトウェアを内蔵している事で、情報通信機器より、接続されている撮像装置に対して同期又は非同期に撮影を行う際に、スレーブ動作を行う撮像装置２ないし撮像装置３．．．に対して、画像番号発生手段を前記通信手段を介して通知（送信）する事を特徴とする複数台撮像装置システムにおける画像番号管理。
【００１４】
（４）前記（１）ないし（３）のいずれかにおける撮像装置の画像番号発生手段はソフトウェアにより実現され、マスタ動作を行う撮像装置１からスレーブ動作を行う撮像装置２ないし撮像装置３．．．に対して、
前記通信手段を介して通知（送信）する画像番号発生手段がソフトウェア自体により実現される事により、マスタ動作を行う撮像装置１の期待する画像番号を持つデジタル画像データをスレーブ動作を行う撮像装置２ないし撮像装置３．．．において発生させる事が出来る事を特徴とする複数台撮像装置システムにおける画像番号管理。
【００１５】
（５）前記（１）ないし（３）のいずれかにおける撮像装置の画像番号発生手段はソフトウェアにより実現され、マスタ動作を行う撮像装置１からスレーブ動作を行う撮像装置２ないし撮像装置３．．．に対して、
前記通信手段を介して通知（送信）する画像番号発生手段が前記ソフトウェアに与えるパラメータにより実現される事により、マスタ動作を行う撮像装置１の期待する画像番号を持つデジタル画像データをスレーブ動作を行う撮像装置２ないし撮像装置３．．．において発生させる事が出来る事を特徴とする複数台撮像装置システムにおける画像番号管理。
【００１６】
（６）前記（１）ないし（３）のいずれか記載の撮像装置システムにおいて、接続された撮像装置間で同期又は非同期に撮影を行う時に、固定的にマスタ動作を行う撮像装置と、スレーブ動作を行う撮像装置を決定する事により、
簡潔なソフトウェアで撮像装置システムを構築出来る事を特徴とする複数台撮像装置システムにおける画像番号管理。
【００１７】
（７）前記（１）ないし（３）のいずれか記載の撮像装置システムにおいて、接続された撮像装置間で同期又は非同期に撮影を行う時に、動的にマスタ動作を行う撮像装置と、スレーブ動作を行う撮像装置を決定する事により、
マスタ動作を行う撮像装置とスレーブ動作を行う撮像装置を予め設定する手間が無く、柔軟な撮像装置システムを構築出来る事を特徴とする複数台撮像装置システムにおける画像番号管理。
【００１８】
（８）前記（１）ないし（３）のいずれか記載の撮像装置システムにおいて、接続された撮像装置間で同期撮影を行う時、複数台の撮像装置で同時に撮影動作を行う時は、
マスタ動作を行う撮像装置１からスレーブ動作を行う撮像装置２ないし撮像装置３．．．に対して、前記通信手段を介して通知（送信）される画像番号発生手段により発生される画像番号が同一画像番号を発生する事で、撮影の同時性が分かり易い画像番号となる事を特徴とする複数台撮像装置システムにおける画像番号管理。
【００１９】
（９）前記（１）ないし（３）のいずれか記載の撮像装置システムにおいて、接続された撮像装置間で同期撮影を行う時、複数台の撮像装置で順番に連続して撮影動作を行う時は、
マスタ動作を行う撮像装置１からスレーブ動作を行う撮像装置２ないし撮像装置３．．．に対して、前記通信手段を介して通知（送信）される画像番号発生手段により発生される画像番号が昇順もしくは降順の番号を発生する事で、撮影の順序性が分かり易い画像番号となる事を特徴とする複数台撮像装置システムにおける画像番号管理。
【００２０】
（１０）前記（１）ないし（３）のいずれか記載の撮像装置システムにおいて、接続された撮像装置間で同期撮影を行う時、複数台の撮像装置で同時に撮影動作を行う撮像装置と順番に連続して撮影動作を行う撮像装置が混在する時は、
マスタ動作を行う撮像装置１からスレーブ動作を行う撮像装置２ないし撮像装置３．．．に対して、
同時に撮影動作を行う撮像装置に対して、前記通信手段を介して通知（送信）される画像番号発生手段により発生される画像番号が同一番号を発生し、
順番に連続して撮影動作を行う撮像装置に対して、前記通信手段を介して通知（送信）される画像番号発生手段により発生される画像番号が昇順もしくは降順の番号を発生する事で、
同時に撮影した撮像装置は撮影の同時性を、順番に連続して撮影した撮像装置は撮影の順序性が分かり易い画像番号となる事を特徴とする複数台撮像装置システムにおける画像番号管理。
【発明の効果】
【００２１】
本発明により、複数台の撮像装置を通信で接続したシステムにおいて、マスタとなる撮像装置がスレーブとなる撮像装置に対して、画像番号の発生手段を通知する事で、撮影に関連した画像番号を付加する事が可能となり、システム内の撮像装置全てが統一した管理思想で画像データを管理でき、一連の撮影が行われた事が容易に整理する事ができる。
【００２２】
また請求項２によれば、画像データの管理を多数持つ事が可能となり、撮影に関連した画像番号の自由度が増す。
【００２３】
また請求項３から請求項５によれば、画像番号発生手段の通知方法に関して複数の通知方法が提供できる。
【００２４】
また、請求項６及び請求項７によれば、マスタ動作、スレーブ動作を行う撮像装置の構成に対して自由度が増す。
【００２５】
また、請求項８から請求項１０によれば、撮影の同時性または順序性を与える事が可能となり、撮影に関するデータの関連を明確にする事が出来る。
【発明を実施するための最良の形態】
【００２６】
以下、本発明の実施例を図面に基づいて説明する。
【実施例１】
【００２７】
図１は、本発明における撮像装置を接続したシステムの構成と、各々の撮像装置で撮影した画像データ及び画像番号発生手段の実施例を示したものである。
【００２８】
本実施例においては、撮像装置として図２に示すデジタルカメラを対象としているが、他にもデジタルビデオカメラ等のデジタル画像記録装置、ＤＶＤレコーダ、デジタルレコーダ等のデジタル記録装置（デジタルストレージ）も対象としている。
【００２９】
また、画像データとしては、静止画像データ、動画データ、音声データも含んでいる。
【００３０】
図２は本実施例におけるデジタルカメラの内部構造を示したものである。
【００３１】
フラッシュＲＯＭ２０２に格納されている記録装置制御プログラムは、マイクロコンピュータ２０１により実行される。
【００３２】
フラッシュＲＯＭ２０２に格納された記録装置制御ソフトウェアの静止画撮影機能を実行すると、シャッタボタン２３０を押下することで、レンズ制御２１２、絞り制御２１３及び、撮像素子制御２１５により画像データを撮像素子から取り込み、Ａ／Ｄ変換２１６、画像処理２１７を経て、フォーカス情報、露出情報を演算し、レンズ鏡筒２１１を作動させてフォーカス合わせ（オートフォーカス）、露出合わせ（自動露出）を行う。
【００３３】
撮影準備が出来ると、絞り制御２１３、シャッタ制御２１４により、所定の露出制御値で撮像素子へ露光を行う。撮像素子へ露光された画像データは撮像素子制御２１５により撮像素子より読み出され、Ａ／Ｄ変換２１５によりアナログ出力からデジタルデータに変換され、画像処理２１７によりデジタル画像データが作成され、画像番号発生手段２１８により生成した画像番号と共に、メモリ２０３に一時的に格納される。メモリ２０３に格納されたデジタル画像データ及び画像番号は、記憶媒体２７０に記憶される。また、撮影時の設定により、メモリ２０３に格納されたデジタル画像データは、信号処理２４１により液晶表示用に変換され、液晶制御２４１によりＴＦＴ液晶２４２へ表示する事も可能である。
【００３４】
デジタルカメラ２００は、内蔵マイク２２１及び内蔵スピーカ２５３を備えており、動画・撮影及び再生も可能である。
【００３５】
フラッシュＲＯＭ２０２に格納された記録装置制御ソフトウェアの動画撮影機能を実行すると、シャッタボタン２３０を押下することで、レンズ制御２１２、絞り制御２１３及び、撮像素子制御２１５により画像データを撮像素子から取り込み、Ａ／Ｄ変換２１６、画像処理２１７を経て、フォーカス情報、露出情報を演算し、レンズ鏡筒２１１を作動させてフォーカス合わせ（オートフォーカス）、露出合わせ（自動露出）を行い、絞り制御２１３、シャッタ制御２１４により、所定の露出制御値で撮像素子へ露光を行う。撮像素子へ露光された画像データは撮像素子制御２１５により撮像素子より読み出され、Ａ／Ｄ変換２１５によりアナログ出力からデジタルデータに変換され、画像処理２１７によりデジタル画像データが作成され、画像番号発生手段２１８により生成した画像番号と共に、メモリ２０３に一時的に格納される。メモリ２０３に格納されたデジタル画像データ及び画像番号は、動画データとして記憶媒体２７０に記憶される。
【００３６】
また、画像撮影に同期してマイク２２１より入力された音声データは、Ａ／Ｄ変換２２２でアナログデータからデジタルデータへ変換され、信号処理２２３によりフィルタリング処理が施されてメモリ２０３に一時的に格納される。メモリ２０３に格納された音声データは、動画データとして記憶媒体２７０に記憶される。
【００３７】
シャッタボタン２３０が押下されている間、所定のタイミング（フレームレート）に同期して画像の取り込みが繰り返し行われ、動画撮影が行われる。動画撮影中は、撮影した画像データからフォーカス情報、露出情報を演算し、レンズ鏡筒２１１を作動させてフォーカス合わせ（オートフォーカス）、露出合わせ（自動露出）を継続的に行っている。
【００３８】
フラッシュＲＯＭ２０２に格納された記録装置制御ソフトウェアの動画再生機能を実行すると、操作スイッチ２３０を操作することで、記憶媒体２７０に記憶された動画データをメモリ２０３へ一時的に読み込み、画像データは所定のタイミング（フレームレート）に同期して、信号処理２４１により液晶表示用に変換され、液晶制御２４１によりＴＦＴ液晶２４２へ表示される。
【００３９】
音声データは、画像データに同期して、信号処理２５１により再生用に信号処理され、Ｄ／Ａ変換２５２によりアナログ変換されてスピーカ２５３より再生される。
【００４０】
フラッシュＲＯＭ２０２に格納された記録装置制御ソフトウェアの通信機能を実行すると、通信制御２６１により、通信回線２６２を通して別のデジタルカメラ２９０と通信を行い、画像番号発生手段の通知や、撮影指示等の制御、画像データのコピーや転送を行うことが出来る。
【００４１】
画像番号発生手段２１８は、書き換え可能または複数の番号発生アルゴリズムであり、他のデジタルカメラから書き換えたり、番号発生アルゴリズムを選択したり、番号発生アルゴリズムを組み合わせるスクリプトを記述する事が可能である。
【００４２】
図３は、各デジタルカメラが備えている画像番号発生手段の番号発生アルゴリズムの代表例を示したものである。
【００４３】
図１は、マスタカメラ１（１００）とスレーブカメラ１（１０１）〜スレーブカメラ５（１０５）が、通信手段（１０６）により接続されている。
【００４４】
マスタカメラ１（１００）で撮影動作を行うと、マスタカメラ１（１００）→スレーブカメラ１（１０１）→スレーブカメラ２（１０２）→スレーブカメラ３（１０３）→スレーブカメラ４（１０４）→スレーブカメラ５（１０５）の順番で所定のインターバルを空けて連続して撮影を行う指示（連続撮影指示）が通信手段（１０６）を通して各スレーブカメラへ通知される。スレーブカメラは、連続撮影指示を受け付けたタイミングと同期して時間を計測し、所定の時間になると撮影動作を行い、各スレーブカメラの記憶媒体に画像データを格納する。
【００４５】
図４は、マスタカメラ１（１００）において、連続撮影指示に対する番号発生アルゴリズムの選択画面（４１０）、通知の流れ（４００）を表したものである。
【００４６】
マスタカメラ１（１００）は、連続撮影指示に対する番号発生アルゴリズムを選択し（４０１）、予めスレーブカメラ１（１０１）〜スレーブカメラ５（１０５）に対して、連続撮影指示を受け付けた際に画像番号を発生する番号発生アルゴリズム（図３）を画像番号発生手段（１１０）として通知する（４０２〜４０６）。通知を受けたスレーブカメラ１（１０１）〜スレーブカメラ５（１０５）は、画像番号発生手段をそれぞれ内部に保持する（１１１〜１１５）。
【００４７】
図５は、連続撮影指示を受け付けた時の画像番号発生の流れ図である。
【００４８】
連続撮影指示（５００）を受け付けると画像番号発生手段によりマスタカメラ１に番号発生アルゴリズムに従って画像番号を発生する（５０１）。
【００４９】
図１の例では、マスタカメラ１の番号発生アルゴリズムとして、画像番号発生手段（１１０）により“ｃｏｎｔＸＸＸＸ”：ＸＸＸＸは４桁の数字を順番に発生する仕組みが提供されている（図３のＮｏ１）。
【００５０】
マスタカメラ１では、ｃｏｎｔ１０１１が発生し（５０１）、撮影が実行され（５０２）、画像番号ｃｏｎｔ１０１１として画像データ（５０３）がマスタカメラ１に格納される（１２０）。
【００５１】
スレーブカメラ１では、マスタカメラ１の画像番号の４桁の数字（１０１１）を受けて（５０４）、画像番号発生手段１１１によりｃｏｎｔ１０１２が発生し（５０５）、撮影が実行され（５０６）、画像番号ｃｏｎｔ１０１２として画像データ（５０７）がスレーブカメラ１に格納される（１２１）。スレーブカメラ１は、マスタカメラ１へ発生した画像番号１０１２を通知する（５０８）。
【００５２】
スレーブカメラ２では、スレーブカメラ１の画像番号の４桁の数字（１０１２）を受けて（５０９）、画像番号発生手段１１２によりｃｏｎｔ１０１３が発生し（５１０）、撮影が実行され（５１１）、画像番号ｃｏｎｔ１０１３として画像データ（５１２）がスレーブカメラ２に格納される（１２２）。スレーブカメラ２は、マスタカメラ１へ発生した画像番号１０１３を通知する（５１３）。
【００５３】
スレーブカメラ３では、スレーブカメラ２の画像番号の４桁の数字（１０１３）を受けて（５１４）、画像番号発生手段１１３によりｃｏｎｔ１０１４が発生し（５１５）、撮影が実行され（５１６）、画像番号ｃｏｎｔ１０１４として画像データ（５１７）がスレーブカメラ３に格納される（１２３）。スレーブカメラ３は、マスタカメラ１へ発生した画像番号１０１４を通知する（５１８）。
【００５４】
スレーブカメラ４では、スレーブカメラ３の画像番号の４桁の数字（１０１４）を受けて（５１９）、画像番号発生手段１１４によりｃｏｎｔ１０１５が発生し（５２０）、撮影が実行され（５２１）、画像番号ｃｏｎｔ１０１５として画像データ（５２２）がスレーブカメラ４に格納される（１２４）。スレーブカメラ４は、マスタカメラ１へ発生した画像番号１０１５を通知する（５２３）。
【００５５】
スレーブカメラ５では、スレーブカメラ４の画像番号の４桁の数字（１０１５）を受けて（５２４）、画像番号発生手段１１５によりｃｏｎｔ１０１６が発生し（５２５）、撮影が実行され（５２６）、画像番号ｃｏｎｔ１０１６として画像データ（５２７）がスレーブカメラ５に格納される（１２５）。スレーブカメラ５は、マスタカメラ１へ発生した画像番号１０１６を通知する（５２８）。
【００５６】
このようにして、複数台のデジタルカメラを接続して、順番に連続して撮影を行うと、各デジタルカメラにｃｏｎｔ１０１１〜ｃｏｎｔ１０１６という画像番号の画像データが生成されて、一連の連続撮影が行われた事が容易に整理する事ができる。
【実施例２】
【００５７】
図６は、本発明における撮像装置を接続したシステムの構成と、各々の撮像装置で撮影した画像データ及び画像番号発生手段の別の実施例を示したものである。
【００５８】
本実施例においては、撮像装置として図２に示すデジタルカメラを対象としているが、他にもデジタルビデオカメラ等のデジタル画像記録装置、ＤＶＤレコーダ、デジタルレコーダ等のデジタル記録装置（デジタルストレージ）も対象としている。
【００５９】
また、画像データとしては、静止画像データ、動画データ、音声データも含んでいる。
【００６０】
図６では、マスタカメラ（６００）とスレーブカメラ１（６０１）〜スレーブカメラ５（６０５）が、通信手段（６２０）により接続されている。被写体は６１０である。６３０は本構成における各カメラの撮影モードと、撮影指示と、画像番号発生アルゴリズムと、画像データを示したものである。マスタカメラ（６００）とスレーブカメラ１（６０１）は、被写体（６１０）に対して２方向から動画撮影を行う。スレーブカメラ２（６０２）〜スレーブカメラ５（６０５）は被写体（６１０）を四方向から囲むように配置され、静止画撮影を行う。
【００６１】
マスタカメラ（６００）で撮影動作を行うと、マスタカメラ（６００）→スレーブカメラ１（６０１）は５分後に連続撮影指示を発生し、マスタカメラ（６００）→スレーブカメラ２（６０２）、スレーブカメラ３（６０３）、スレーブカメラ４（６０４）、スレーブカメラ５（６０５）は２分後に同時撮影指示を発生する様に、通信手段（６２０）を通して各スレーブカメラへ通知される。各スレーブカメラは、撮影指示を受け付けたタイミングと同期して時間を計測し、所定の時間になると内部で撮影指示を発生し、撮影動作を行い、各スレーブカメラの記憶媒体に画像データを格納する。
【００６２】
図６では、撮影指示が１０：１０、同時撮影が１０：１２、連続撮影が１０：１５に行われるとしている。
【００６３】
図７は、マスタカメラ（６００）において、連続撮影指示に対する番号発生アルゴリズムの選択画面（７１０）、同時撮影指示に対する番号発生アルゴリズムの選択画面（７２０）、通知の流れ（７００）を表したものである。
【００６４】
マスタカメラ（７００）は、撮影指示に対する番号発生アルゴリズムを選択し（７０１）、予めスレーブカメラ１（６０１）〜スレーブカメラ５（６０５）に対して、撮影指示を受け付けた際に画像番号を発生する番号発生アルゴリズム（図３）を画像番号発生手段として通知する（７０２〜７０６）。通知を受けたスレーブカメラ１（６０１）〜スレーブカメラ５（６０５）は、画像番号発生手段をそれぞれ内部に保持する。
【００６５】
スレーブカメラは、撮影指示を受け付けた際に画像番号を発生する番号発生アルゴリズムとして、連続撮影指示に対しては現在の撮影時間を画像番号として発生し（７１０）、同時撮影指示に対しては指定された撮影時間（同時刻）を画像番号として発生する（７２０）。
【００６６】
図８は、撮影指示を受け付けた時の画像番号発生の流れ図である。
【００６７】
撮影指示（８００）を受け付けると画像番号発生手段によりマスタカメラに番号発生アルゴリズムに従って画像番号を発生する（８０１）。
【００６８】
図６の例では、マスタカメラの番号発生アルゴリズムとして、画像番号発生手段により連続撮影指示に対しては“ｃｏｎｔＸＸＸＸ”：ＸＸＸＸは時刻（ＸＸ時ＸＸ分）を発生する仕組み（図３のＮｏ２）が、同時撮影指示に対しては、“ｍｏｍｅｎｔＸＸＸＸ”：ＸＸＸＸは時刻（ＸＸ時ＸＸ分）を発生させる仕組み（図３のＮｏ４）が提供されている。
【００６９】
マスタカメラでは、撮影を１０時１０分に開始したので、ｃｏｎｔ１０１０が発生し（８０２）、マスタカメラから各スレーブカメラに対して画像番号１０１０（１０時１０分）が通知される（８０３）。マスタカメラでは、画像番号ｃｏｎｔ１０１０として画像データが作成され（８０４）、動画撮影が開始される（８０５）。
【００７０】
スレーブカメラ２〜５では、１０時１２分になると内部で同時撮影指示を発生し、静止画撮影を開始する（８０６、８１０）。
【００７１】
スレーブカメラ２〜５は、内部で発生した同時撮影指示により（８１１）、マスタカメラの画像番号の４桁の数字（１０１０）を受けて（８０３）、画像番号発生手段によりｍｏｍｅｎｔ１０１２（１０時１２分）が発生し（８１２）、撮影が実行され（８１３）、画像番号ｍｏｍｅｎｔ１０１２として画像データが各スレーブカメラの記憶媒体に格納される（８１４）。各スレーブカメラは、マスタカメラへ発生した画像番号１０１２を通知する（８１５）。
【００７２】
スレーブカメラ１では、１０時１５分になると内部で連続撮影指示を発生し、動画撮影を開始する（８０７、８２０）。
【００７３】
スレーブカメラ１は、内部で発生した連続撮影指示により（８２１）、マスタカメラの画像番号の４桁の数字（１０１０）を受けて（８０３）、画像番号発生手段によりｃｏｎｔ１０１５が発生し（８２２）、画像番号ｃｏｎｔ１０１５として画像データが作成され（８２３）、動画撮影が開始される（８２４）。スレーブカメラ１は、マスタカメラへ発生した画像番号１０１５を通知する（８２５）。
【００７４】
このようにして、複数台のデジタルカメラを接続して、順番に連続撮影と、同時撮影を行うと、連続撮影したマスタカメラには、ｃｏｎｔ１０１０（１０時１０分から撮影開始）、スレーブカメラ１には、ｃｏｎｔ１０１５（１０時１５分から撮影開始）、同時撮影したスレーブカメラ２〜５には、ｍｏｍｅｎｔ１０１２（１０時１２分に同時に撮影）という画像番号の画像データが生成されて、一連の撮影が行われた事が容易に整理する事ができる。
【図面の簡単な説明】
【００７５】
【図１】実施例１における接続構成、画像番号発生手段を示す図
【図２】実施例１における撮像装置の内部構成を示す図
【図３】画像番号発生手段の番号発生アルゴリズムの代表例を示す図
【図４】実施例１における撮影指示に対する番号発生アルゴリズム選択・通知例を示す図
【図５】実施例１における撮影指示に対する流れ図
【図６】実施例２における接続構成、画像番号発生手段を示す図
【図７】実施例２における撮影指示に対する番号発生アルゴリズム選択・通知例を示す図
【図８（ａ）】実施例１における撮影指示に対する流れ図
【図８（ｂ）】実施例１における撮影指示に対する流れ図
【符号の説明】
【００７６】
１００  マスタカメラ１
１０１  スレーブカメラ１
１０２  スレーブカメラ２
１０３  スレーブカメラ３
１０４  スレーブカメラ４
１０５  スレーブカメラ５
１０６  通信手段
１１０  画像番号発生手段（マスタカメラ１）
１１１  画像番号発生手段（スレーブカメラ１）
１１２  画像番号発生手段（スレーブカメラ２）
１１３  画像番号発生手段（スレーブカメラ３）
１１４  画像番号発生手段（スレーブカメラ４）
１１５  画像番号発生手段（スレーブカメラ５）
１２０  マスタカメラ１撮影画像  ｃｏｎｔ１０１１
１２１  スレーブカメラ１撮影画像  ｃｏｎｔ１０１２
１２２  スレーブカメラ２撮影画像  ｃｏｎｔ１０１３
１２３  スレーブカメラ３撮影画像  ｃｏｎｔ１０１４
１２４  スレーブカメラ４撮影画像  ｃｏｎｔ１０１５
１２５  スレーブカメラ５撮影画像  ｃｏｎｔ１０１６
２００  デジタルカメラ本体
２０１  マイクロコンピュータ
２０２  フラッシュＲＯＭ
２０３  メモリ
２１１  レンズ鏡筒
２１２  レンズ制御
２１３  絞り制御
２１４  シャッタ制御
２１５  撮像素子制御
２１６  画像用Ａ／Ｄ変換
２１７  画像処理
２１８  画像番号発生手段
２２１  マイク
２２２  音声用Ａ／Ｄ変換
２２３  信号処理
２３０  操作スイッチ
２４１  画像表示用信号処理
２４２  液晶制御
２４３  ＴＦＴ液晶表示装置
２５１  音声再生用信号処理
２５２  音声用Ｄ／Ａ変換
２５３  スピーカ
２６１  通信制御
２６２  通信回線インターフェース
２７０  記憶媒体
２８０  デジタルカメラ外部の通信回線
２９０  通信回線で接続される他のデジタルカメラ
４１０  画像番号発生アルゴリズム選択画面
６００  マスタカメラ
６０１  スレーブカメラ１
６０２  スレーブカメラ２
６０３  スレーブカメラ３
６０４  スレーブカメラ４
６０５  スレーブカメラ５
６１０  被写体
６２０  通信手段
６３０  各カメラの設定状態
７１０  画像番号発生アルゴリズム選択画面（連続撮影指示）
７２０  画像番号発生アルゴリズム選択画面（同時撮影指示）
【図１】
2005184205.tif 000003
【図２】
2005184205.tif 000004
【図３】
2005184205.tif 000005
【図４】
2005184205.tif 000006
【図５】
2005184205.tif 000007
【図６】
2005184205.tif 000008
【図７】
2005184205.tif 000009
【図８（ａ）】
2005184205.tif 000010
【図８（ｂ）】
2005184205.tif 000011